【事件の表示】
　特許第２８５９３１３号「２端子型アクティブマトリクス液晶表示装置の駆動方法」の請求項１に係る特許に対する特許異議の申立てについて、次のとおり決定する。
【結　論】
　訂正を認める。
　特許第２８５９３１３号の請求項１に係る特許を維持する。
【理　由】
１．手続の経緯
　本件特許第2859313号の請求項1に係る発明は、平成1年8月15日に特許出願され、平成10年12月4日に設定登録がなされ、特許異議の申立がなされ、取消理由通知がなされ、その指定期間である平成12年1月7日に訂正請求がなされたものである。
２．訂正の適否について
　ア．訂正内容
　訂正事項a
　特許請求の範囲の請求項１の記載（特許明細書第１欄第８行目から第１４行目に記載）、
「該走査信号は第１の書き込み区間と第１の保持区間と第２の書き込み区間と第２の保持区間とリセット区間を有し、
　各走査線に印加される走査信号の第１の書き込み区間及び第２の書き込み区間の後にはそれぞれ走査信号の書き込み区間の後に位置しどの走査信号の書き込み区間としても用いられない区間である水平帰線区間を有し、」を、
「該走査信号は第１の書き込み区間と第１の保持区間と第２の書き込み区間と第２の保持区間とリセット区間を有し、
　該走査信号は、第１の書き込み区間には第１の書き込み電圧、第１の保持区間には第１の保持電圧、第２の書き込み区間には第１の電圧より低い第２の書き込み電圧、第２の保持区間には第１の保持電圧より低い第２の保持電圧、リセット区間にはリセット電圧を有し、
　各走査線に印加される走査信号の第１の書き込み区間及び第２の書き込み区間の後にはそれぞれ走査信号の書き込み区間の後に位置しどの走査信号の書き込み区間としても用いられない区間である水平帰線区間を有し、」と訂正する。
　訂正事項b
　特許請求の範囲の請求項１の記載（特許明細書第２欄第１行目から第３行目）、
「走査信号のリセット区間は第１の書き込み区間の前で他の走査線の走査信
号の書き込み区間の後の水平帰線区間内に設けられた」を、
「走査信号のリセット区間は第１の書き込み区間の前で他の走査線の走査信号の書き込み区間の後の水平帰線区間内に設けられ、
　走査信号のリセット電圧は走査信号の最大値であり、ある走査信号のリセット区間に於ける他の走査信号の電圧の最低値は第２の保持電圧である」と訂正する
　イ．訂正の目的の適否、新規事項の追加及び特許請求の範囲の拡張又は変更の存否
　上記訂正事項a及びbは、特許明細書に記載された事項の範囲内で特許請求の範囲を減縮するものであり、新規事項を追加するものでなく、特許請求の範囲を実質的に拡張又は変更するものでもない。
　ウ．独立特許要件について
　（訂正発明）
　訂正後の本件発明1（以下、訂正発明1という。）は、訂正明細書の特許請求の範囲の請求項1に記載された次のとおりのものである。
「【請求項1】　マトリクス配置されたデータ線及び走査線と、該データ線及び走査線の交点に対応して設けられた液晶表示画素と少なくとも１つの２端子型スイッチング素子とを有し、前記走査線に印加される走査信号と前記データ線に印加されるデータ信号により液晶表示画素が駆動される２端子型アクティブマトリクス液晶表示装置の駆動方法に於て、
　該走査信号は第１の書き込み区間と第１の保持区間と第２の書き込み区間と第２の保持区間とリセット区間を有し、
　該走査信号は、第１の書き込み区間には第１の書き込み電圧、第１の保持区間には第１の保持電圧、第２の書き込み区間には第１の電圧より低い第２の書き込み電圧、第２の保持区間には第１の保持電圧より低い第２の保持電圧、リセット区間にはリセット電圧を有し、
　各走査線に印加される走査信号の第１の書き込み区間及び第２の書き込み区間の後にはそれぞれ走査信号の書き込み区間の後に位置しどの走査信号の書き込み区間としても用いられない区間である水平帰線区間を有し、
　走査信号のリセット区間は第１の書き込み区間の前で他の走査線の走査信号の書き込み区間の後の水平帰線区間内に設けられ、
　走査信号のリセット電圧は走査信号の最大値であり、ある走査信号のリセット区間に於ける他の走査信号の電圧の最低値は第２の保持電圧である事を特徴とする２端子型アクティブマトリクス液晶表示装置の駆動方法。
　【請求項2】 リセット区間は他の複数の走査線の書き込み区間の後の複数の水平帰線区間に渡って設けられた事を特徴とする請求項１記載の２端子型アクティブマトリクス液晶表示装置の駆動方法。」
　（引用刊行物）
　取消理由通知に引用した刊行物1（甲第１号証、特開昭６０−１２０３９９号公報）には下記の事項が記載されている。
「本発明は、二端子素子と電気光学素子とを組み合わせて表示を行うダイオード型表示装置の、駆動方法に関するものである。二端子素子とは、ｐｎ接合ダイオードや金属−絶縁層−金属ダイオード（ＭｉＭダイオード）等、該素子の電圧−電流特性が非線形性を有する素子である。電気光学素子とは、液晶素子・・・等、印加電圧にて光学特性を制御する素子である。」（第１頁右欄第５行目〜第１４行目）
「第２図の単位画素にて６は走査電極線である。７は信号電極線である。８は二端子素子であるＭｉＭダイオード、９は電気光学素子である液晶層、および表示電極で構成される表示画素コンデンサである。」（第２頁左上欄第７行目〜第１１行目）。
「第６図に本発明による駆動信号波形を示す。第６図の実線は走査電極信号波形、点線が信号電極波形である。駆動信号波形は３つの期間で構成される。従来例と同様の書込み期間Ｗと保持期間Ｈおよび本発明で付加した電荷調整期間Ｒである。走査電極線には、書込み期間には選択信号２９、３２、３５を、保持期間には保持信号３０、３３を従来どおり印加する。信号電極線には、画素がオン表示の時にはオン信号３５、３６、３７を、画素がオフ表示の時にはオフ信号３８、３９、４０を従来どおり印加する。新たに電荷調整期間Ｒでは走査電極線に電荷調整選択信号２８、３１、３４を印加し、信号電極線には電荷調整信号４１を印加する。電荷調整期間Ｒにて、表示画素コンデンサに蓄えられた電荷と同符号の電荷を該コンデンサに注入し、電荷量を増す。電荷調整信号４１の電位は、電荷量を増す電位ならばいずれでもよいが、駆動回路の簡便性、電荷注入効率の観点からオン信号が望ましい。すなわち電荷調整選択信号２８，３４に対して、３６の電位、電荷調整信号３１に対して３５の電位である。以上述べたように、本発明は駆動信号波形に電荷調整期間を設けることにより、表示信頼性の高いダイオード型液晶表示装置を実現しその効果は多大である。」（第３頁左上欄第６行目〜右上欄第１１行目）。
　同じく刊行物2（甲第２号証、特開昭６３−１３３１９３号公報）には、下記の事項が記載されているか、又は開示されている。
「第１フィールドにおける１水平走査期間をｔＨ１、第２フィールドにおける１水平走査期間をｔＨ２とする。このｔＨ１，ｔＨ２はそれぞれ有効水平走査期間ｔＤすなわちＸドライバーが順次データ線に画像信号を書いている期間と、ブランキング期間ｔＢすなわち画像信号がデータ線に保持されている期間とに分けることができる。」（第３頁左下欄第９行目〜第１５行目）
　同じく刊行物3（甲第３号証、特開昭６２−１４７４８８号公報）の第２図には、１水平走査期間１Ｈが、水平有効表示期間Ｈｄと、水平帰線期間ＨＢとを含むことが図示されている（第２頁右下欄第２行目〜第７行目）。
　同じく刊行物4（甲第４号証、特開昭６０−２０１３２５号公報）の第６図には、走査信号Ｓ１Ｏ〜Ｓ５Ｏが示され、液晶分子を一方向に揃える電圧（リセット電圧）が３Ｖ０、データ書き込み期間の電圧が−２Ｖ０、データ保持期間の電圧が０とされ、リセット電圧が最大電圧であることが示されている（第５頁右下欄第４行目〜第１８行目）。
　同じく刊行物5（甲第５号証、特開昭６４−３３５３４号公報）の第３ａ図、第３ｂ図及び第３ｃ図にそれぞれ、最大電圧Ｖｒｅｓｅｔを印加した後に、選択期間にて電圧ＶＳ２を印加することが開示されている（第４頁右下欄第７行目〜第１８行目）。
　（対比・判断）
　訂正発明1の「走査信号は、第１の書き込み区間には第１の書き込み電圧、第１の保持区間には第１の保持電圧、第２の書き込み区間には第１の電圧より低い第２の書き込み電圧、第２の保持区間には第１の保持電圧より低い第２の保持電圧、リセット区間にはリセット電圧を有」し、「走査信号のリセット電圧は走査信号の最大値であり、ある走査信号のリセット区間に於ける他の走査信号の電圧の最低値は第２の保持電圧である」ことは、刊行物1〜5のいずれにも記載も示唆もされておらず、当業者に周知又は自明の事項でもない。
　そして、訂正発明1は、「走査信号は、第１の書き込み区間には第１の書き込み電圧、第１の保持区間には第１の保持電圧、第２の書き込み区間には第１の電圧より低い第２の書き込み電圧、第２の保持区間には第１の保持電圧より低い第２の保持電圧、リセット区間にはリセット電圧を有」し、「走査信号のリセット電圧は走査信号の最大値であり、ある走査信号のリセット区間に於ける他の走査信号の電圧の最低値は第２の保持電圧である」ことにより、走査信号の動作電圧を大幅に節約することができるという作用効果を呈するものである。
　したがって、訂正発明1は、刊行物1〜5に記載された発明に基づいて当業者が容易に発明をすることができたものとすることができないから、特許法第29条第2項の規定により特許出願の際独立して特許を受けることができないものとすることができない。
　エ．むすび
　以上のとおり、上記訂正請求は、特許法第120条の4第2項及び同条第3項で準用する第126条第2〜4項の規定に適合するので、当該訂正を認める。
３．特許異議申立について
　ア．本件発明
　上記「２．ウ．（訂正発明）」の記載を参照。
　イ．異議申立の理由の概要
　異議申立人 セイコーエプソン株式会社は、証拠として甲第1〜5号証（刊行物1〜5）を提出し、本件発明1は、特許法第36条第5項の規定に違反して、又は、同法第29条第1項第3号に該当して、若しくは、同法同条第2項に違反して特許されたものであるから、それらの特許は取り消されるべき旨主張している。
　ウ．異議申立人が提出した甲各号証に記載の発明
　上記「２．ウ．（引用刊行物）」の記載を参照。
　エ．当審の対比・判断
　(1)特許法第36条第5項の規定違反について
　本件発明1は、その「走査信号の最大電圧となるリセット電圧」が定義されておらず、作用効果を奏することができない旨を、異議申立人は主張している。
　ところが、本件発明1のような２端子型アクティブマトリクス液晶表示装置の駆動において、その走査信号の電圧には最大値と最小値が存在し、その最大値を走査信号の最大電圧と称することは当業者に周知又は自明のことである。
　してみると、本件発明1は、その「走査信号の最大電圧となるリセット電圧」が定義されているに等しいことは明らかであり、特許法第36条第5項の規定に違反して特許されたものとすることができない。
　(2)特許法第29条の規定違反について
　上記「２．ウ．（対比・判断）」の記載を参照。
　したがって、本件発明1は、甲第1号証に記載されたに等しい発明であるとすることができないから、若しくは、甲各号証に記載された発明に基づいて当業者が容易に発明をすることができたものとすることができないから、特許法第29条第1項第3号に該当して、若しくは、同法同条第2項に違反して特許されたものとすることができない。
　オ．むすび
  以上のとおりであるから、異議申立の理由及び証拠によっては、本件発明1についての特許を取り消すことができない。
　また、他に本件発明1及び2についての特許を取り消すべき理由を発見しない。
　よって、結論のとおり決定する。
【異議決定日】
平成１３年１月２５日（２００１．１．２５）
【訂正の要旨】
　　　訂正事項
　ａ．特許第２８５９３１３号発明の明細書中における特許請求の範囲の請求項１の「該走査信号は第１の書き込み区間と第１の保持区間と第２の書き込み区間と第２の保持区間とリセット区間を有し、
　各走査線に印加される走査信号の第１の書き込み区間及び第２の書き込み区間の後にはそれぞれ走査信号の書き込み区間の後に位置しどの走査信号の書き込み区間としても用いられない区間である水平帰線区間を有し、」（特許第０２８５９３１３号公報第１欄第８行目から第１４行目に記載）とあるのを、
「該走査信号は第１の書き込み区間と第１の保持区間と第２の書き込み区間と第２の保持区間とリセット区間を有し、
　
該走査信号は、第１の重き込み区間には第１の書き込み電圧、第１の保持区間には第１の保持電圧、第２の書き込み区間には第１の電圧より低い第２の書き込み電圧、第２の保持区間には第１の保持電圧より低い第２の保持電圧、リセット区間にはリセット電圧を有し、
　各走査線に印加される走査信号の第１の書き込み区間及び第２の書き込み区間の後にはそれぞれ走査信号の書き込み区間の後に位置しどの走査信号の書き込み区間としても用いられない区間である水平帰線区間を有し、」と訂正する。
　ｂ．特許第２８５９３１３号発明の明細書中における特許請求の範囲の請求項１の「走査信号のリセット区間は第１の書き込み区間の前で他の走査線の走査信号の書き込み電圧と区間の後の水平帰線区間内に設けられた」（特許第０２８５９３１３号公報第２欄第１行目から第３行目に記載）とあるのを、
「走査信号のリセット区間は第１の書き込み区間の前で他の走査線の走査信号の書き込み電圧と区間の後の水平帰線区間内に設けられ
、
　
走査信号のリセット電圧は走査信号の最大値であり、ある走査信号のリセット区間に於ける他の走査信号の電圧の最低値は第２の保持電圧である
（５４）【発明の名称】
２端子型アクティブマトリクス液晶表示装置の駆動方法
（５７）【特許請求の範囲】
（１）　マトリクス配置されたデータ線及び走査線と、該データ線及び走査線の交点に対応して設けられた液晶表示画素と少なくとも１つの２端子型スイッチング素子とを有し、前記走査線に印加される走査信号と前記データ線に印加されるデータ信号により液晶表示画素が駆動される２端子型アクティブマトリクス液晶表示装置の駆動方法に於て、
該走査信号は第１の書き込み区間と第１の保持区間と第２の書き込み区間と第２の保持区間とリセット区間を有し、
　
該走査信号は、第１の書き込み区間には第１の書き込み電圧、第１の保持区間には第１の保持電圧、第２の書き込み区間には第１の電圧より低い第２の書き込み電圧、第２の保持区間には第１の保持電圧より低い第２の保持電圧、リセット区間にはリセット電圧を有し、
　各走査線に印加される走査信号の第１の書き込み区間及び第２の書き込み区間の後にはそれぞれ走査信号の書き込み区間の後に位置しどの走査信号の書き込み区間としても用いられない区間である水平帰線区間を有し、
　走査信号のリセット区間は第１の書き込み区間の前で他の走査線の走査信号の書き込み区間の後の水平帰線区間内に設けられ
、
　
走査信号のリセット電圧は走査信号の最大値であり、ある走査信号のリセット区間に於ける他の走査信号の電圧の最低値は第２の保持電圧である
事を特徴とする２端子型アクティブマトリクス液晶表示装置の駆動方法。
（２）　リセット区間は他の複数の走査線の書き込み区間の後の複数の水平帰線区間に渡って設けられた
事を特徴とする請求項１記載の２端子型アクティブマトリクス液晶表示装置の駆動方法。
【発明の詳細な説明】
〔産業上の利用分野〕
　液晶表示素子は低消費電力のフラットパネルディスプレイとして広く応用されている。中でも、スイッチング素子を各画素に作り込んで駆動するアクティブマトリクス方式は大容量高品質の表示素子としてテレビ、情報端末等に用いられつつある。スイッチング素子としては３端子型のＴＦＴ（薄膜トランジスタ）と２端子型のダイオードやＭＩＭ等の非線形抵抗素子が使われる。商品化は３端子型のＴＦＴが先行したが、２端子型は製造が３端子型に対して簡単であり、今後が期待されている。
　本発明は２端子型のスイッチング素子を用いた２端子型アクティブマトリクス液晶表示装置の駆動方法に関する。
〔従来技術とその課題〕
　第２図および第３図に従来の２端子型スイッチング素子を用いたアクティブマトリクス液晶表示素子の画素の基本配置を示す。
　第２図はフィリップス社（ＰＨＩＬＩＰＳ）により出願された方式（特開昭６４−３３５３４号公報、特開昭６４−３３５３２号公報）である。Ｃｌ、Ｃ２、Ｃ３はデータ線５、Ｒ１、Ｒ２、Ｒ３は走査線６であり、そのデータ線５と走査線６との交点に対応して液晶表示画素１０とダイオード群２０、２１からなる２端子型スイッチング素子が配置されている。個々のダイオード２２は通常アモルファスシリコンのｐｉｎ接合かショットキイ接合で構成される。
　第３図は本出願人より出願した方式である。（特願平１−８８９１１号）、データ線（或は走査線）５と走査線（或はデータ線）６の交点に液晶表示画素１０と１個のダイオード１３から構成される２端子型スイッチング素子が設けられている。
　第２図、第３図の方式で用いられる走査信号を第４図に示す。
　走査信号φ１、φ２、φ３はそれぞれのフィールドＴＡ及びＴＢの区間ＴＡ１、ＴＡ２、ＴＡ３及びＴＢ１、ＴＢ２、ＴＢ３で線順次に選択される信号である。
　走査信号φ１についてみると、第１の書き込み区間ＴＷ１では第１の書き込み電圧ＶＷ１が、第２の書き込み区間ＴＷ２では第２の書き込み電圧ＶＷ２が、第１の保持区間ＴＨ１では第１の保持電圧ＶＨ１が、第２の保持区間ＴＨ２では第２の保持電圧ＶＨ２が印加される。この走査信号の特徴は第１の書き込み区間ＴＷ１の直前にリセット電圧ＶＲが印加されるリセット区間ＴＲが設けられている事である。
　従来の走査信号を供給するための動作電圧はＶＲ−ＶＷ２となる。
　第４図Ｚは第４図の走査信号群の各タイミングでの最大電圧４１と最小電圧４２を示している。本実施例ではいわゆる行毎反転法を用いているため、走査信号の書き込み電圧の極性に応じて最大電圧４１、最小電圧４２が変動する。書き込み電圧が第１の書き込み電圧の書き込み区間のタイミングでは最大電圧と最小電圧の去はＶＨ１−ＶＷ１、第２の書き込み電圧の書き込み区間のタイミングではＶＲ−ＶＷ２となる。
　駆動回路の動作電圧を節約するには、駆動回路の動作電圧をこの最大電圧と最小電圧の差に設定できる事が公知である。しかし、第２の書き込み電圧の書き込み区間のタイミングではこの最大電圧と最小電圧の差が前述の如くＶＲ−ＶＷ２となり、走査信号のピーク対ピーク電圧と等しく動作電圧の節約にはならない。
　本発明は従来方式の欠点の解決を目的としている。即ち、走査信号を供給する駆動回路の動作電圧を大幅に節約する事の可能な２端子型アクティブマトリクス液晶表示装置の駆動方法を提供する事が本発明の目的である。〔課題を解決するための手段〕
　本発明は走査信号に工夫を加える事により、従来におけ２端子型アクティブマトリクス液晶表示装置の駆動方法を改善している。即ち、従来他の走査線の書き込み区間を用いていたリセット区間を水平帰線区間内に設けた走査信号を用いる事を特徴としている。
〔実施例〕
　以下、実施例に基づき本発明を説明する。
　第１図は本発明の２端子型アクティブマトリクス液晶表示装置の駆動方法に於ける走査信号波形の実施例である。
　走査信号Φ１＊、Φ２＊、Φ３＊はそれぞれのフィールドＴＡ、ＴＢの区間ＴＡ１、ＴＡ２、ＴＡ３及びＴＢ１、ＴＢ２、ＴＢ３で線順次に選択される信号である。それぞれの区間ＴＡ１、ＴＡ２、ＴＡ３及びＴＢ１、ＴＢ２、ＴＢ３は、各走査信号の第１の書き込み区間あるいは第２の書き込み区間ＴＷと、その後に続く他の走査信号の保持区間の一部として用いられている区間ＴＲからなる。従来のＣＲＴに用いられるビデオ信号ではそれぞれ走査信号の書き込み区間の後に位置しどの走査信号の書き込み区間としても用いられない区間を水平帰線区間と呼んでいるので本発明ではこの区間ＴＲを適宜上水平帰線区間と呼ぶことにする。走査信号Φ１＊についてみると、第１の書き込み区間ＴＷ１では第１の書き込み電圧ＶＷ１が、第２の書き込み区間ＴＷ２では第２の書き込み電圧ＶＷ２が、第１の保持区間ＴＨ１では第１の保持電圧ＶＨ１が、第２の保持区間ＴＨ２では第２の保持電圧ＶＨ２が、リセット区間ＴＲ１、ＴＲ２ではそれぞれリセット電圧ＶＲが印加される。この走査信号Φ１＊号の特徴はリセット区間がこの走査信号Φ１＊の１本手前の走査線に印加される走査信号の選択区間の後の水平帰線区間ＴＲ１とその更に１本手前の走査線に印加される走査信号の選択区間の後の水平帰線区間ＴＲ２に設けられている点にある。
　第１図Ｚ＊は第１図の走査信号群の各タイミングでの最大電圧１１と最小電圧１２を示している。本実施例ではリセット区間を水平帰線区間内に設けている。その結果従来はリセット区間は他の走査線に印加される異極性の走査信号の第１の書き込み区間に対応していたのに対し、本発明ではリセット区間は他の走査信号の保持区間に対応させる事が可能となった。このために、走査信号の最大電圧であるリセット電圧と最小電圧であるＶＷ２が同時に発生しない。その結果本実施例では書き込み区間のタイミングでは最大電圧と最小電圧の差はＶＨ１−ＶＷ１又はＶＨ１−ＶＷ２、水平帰線区間のタイミングではＶＲ−ＶＨ２となる。従来例と異なり、この最大電圧と最小電圧の差は走査信号のピーク対ピーク電圧ＶＲ−ＶＷ２よりも低く駆動回路の動作電圧の節約が可能である。
　第５図は第１図の実施例の走査信号を用いて動作電圧の節約を行った変調後の走査信号の他の実施例である。第１図Ｚ＊から可能な最大変調振幅はＶＷ１−ＶＷ２又はＶＲ−ＶＨ１である。第５図では第１と第２の保持電圧の差ＶＨ２−ＶＷ２＝ａで変調を行った。第５図Ｘで示した振幅ＶＨ２−ＶＷ２＝ａの変調信号を第１図の走査信号から差し引くと第５図の走査信号φ１＊＊となり動作電圧がＶＨ２−ＶＷ２分だけ節約出来る。
　尚、本実施例ではリセット区間として２つの水平帰線区間ＴＲ１、ＴＲ２を利用した。最短区間では１つの水平帰線区間でもよいがリセット電圧を小さく抑えるにはこのように２つ以上の複数の水平帰線区間を利用する事が効果的である。
〔発明の効果〕
　以上述べた如く本発明では従来の走査信号のリセット区間が水平帰線区間内に設けることにより、走査信号の最大電圧であるリセット電圧ＶＲと最小電圧である第２の書き込み電圧ＶＷ２が同時に存在する事を回避出来る。その結果走査信号を供給する回路の動作電圧を大幅に節約する事が可能になる。
【図面の簡単な説明】
第１図は本発明の２端子型アクティブマトリクス液晶表示装置の駆動方法の実施例に於ける走査信号を示す波形図、第２図および第３図はいずれも従来技術に係る２端子型アクティブマトリクス液晶表示装置の基本構成を示す回路図、第４図は従来技術に係る２端子型アクティブマトリクス液晶表示装置の駆動方法に於ける走査信号を示す波形図、第５図は本発明の駆動方法の走査信号の他の実施例を示す波形図である。
５……データ線、
６……走査線、
１０……液晶表示画素、
φ１＊、φ２＊、φ３＊……走査信号。